(57)【要約】【課題】ユーザが居室外に退出する前にユーザの退出を予測して、放音設定を変更して、スピーカからの音量を下げたり、音量をゼロにしたり、聞こえにくい音質で放音したりすることで、居室外への音漏れを低減することができる放音装置を提供する。【解決手段】スピーカ装置１Ａは、ドア４の位置等がユーザ６により入力される。スピーカ装置１Ａは、入力されたドア４の位置に基づいて、入退出場所５を選定する。スピーカ装置１Ａは、人感センサ１２が検出したユーザ６の位置と選定した入退出場所５とが一致すると、ユーザ６が不在になることを予測する。そして、スピーカ装置１Ａは、音量を下げて放音する。【選択図】図３
2010011268.tif 000002
【特許請求の範囲】
【請求項１】
スピーカから音声信号を放音する放音手段と、
ユーザの位置を検出する検出手段と、
前記検出手段が検出したユーザの位置に基づいて、ユーザが不在になることを予測する予測手段と、
ユーザが不在になることを前記予測手段が予測すると、前記放音手段の放音設定を変更する制御手段と、を備えた放音装置。
【請求項２】
前記制御手段は、ユーザが不在になることを前記予測手段が予測すると、前記放音手段の音量を下げる、またはゼロにする請求項１に記載の放音装置。
【請求項３】
前記制御手段は、ユーザが不在になることを前記予測手段が予測すると、前記放音手段の音声をユーザの聴感上聞こえにくい音質に変更する請求項１に記載の放音装置。
【請求項４】
前記予測手段は、ユーザが不在になることを予測する前に、前記検出手段がユーザの位置を検出できなくなった場合についても、ユーザが不在になることを予測したとみなす請求項１〜３のいずれかに記載の放音装置。
【請求項５】
前記放音手段の放音設定を記憶する記憶手段を更に備え、
前記制御手段は、前記予測手段がユーザの不在を予測し、現在の放音設定を前記記憶手段に記憶して、該放音設定を変更した後に、前記検出手段がユーザの位置を再検出すると、前記記憶手段に記憶されている放音設定を放音手段に設定する請求項１〜４のいずれかに記載の放音装置。
【請求項６】
前記検出手段は、複数のユーザを検出し、
前記制御手段は、前記予測手段が一部のユーザの不在を予測して、放音設定を変更した後に、前記検出手段が他のユーザを検出していれば、所定時間が経過した後に、前記記憶手段に記憶されている放音設定を放音手段に設定する請求項５に記載の放音装置。
【請求項７】
電子機器が接続された放音装置であって、
前記電子機器の動作を指示する制御信号を記憶する制御信号記憶手段と、
ユーザが不在になることを前記予測手段が予測すると、前記制御信号記憶手段から制御信号を取得して、該制御信号を前記電子機器へ送信する送信手段と、を更に備えた請求項１〜６のいずれかに記載の放音装置。
【請求項８】
電子機器と放音装置とからなる放音システムであって、
前記電子機器に、
請求項１〜７のいずれかに記載の検出手段を備え、
前記電子機器または前記放音装置に、
請求項１〜７のいずれかに記載の予測手段を備え、
前記放音装置に、
請求項１〜７のいずれかに記載の放音手段および制御手段を備え、
前記制御手段は、前記電子機器が前記予測手段を備えている場合に、当該電子機器から、前記放音手段の放音動作を指示する放音制御信号を受信することで、前記放音手段の放音設定を変更し、前記放音装置が前記予測手段を備えている場合に、当該電子機器から、ユーザの位置を示す位置情報を受信することで、ユーザが不在になることを前記予測手段が予測すると、前記放音手段の放音設定を変更する放音システム。
【発明の詳細な説明】
【技術分野】
【０００１】
本発明は、検出したユーザの位置に基づいて、放音制御を行う放音装置に関する。
【背景技術】
【０００２】
従来、ユーザの退出を検出すると、電源を自動でオフする電子機器が各種提案されている（例えば、特許文献１参照。）。
【０００３】
特許文献１に記載の映像音声出力装置は、人感センサで液晶ディスプレイの前からユーザが離席したことを検知すると、所定時間経過後に、液晶ディスプレイを消灯して映像出力を停止するとともに、スピーカからの放音を停止している。
【特許文献１】特開２００６−２５５３９８１号公報
【発明の開示】
【発明が解決しようとする課題】
【０００４】
しかしながら、特許文献１の映像音声出力装置は、ユーザが居室外に退出する時にも、まだスピーカから放音を行っているので、スピーカの放音が居室外に漏れてしまう。音が漏れると困る防音室等に映像音声出力装置を設置した場合、退出時にドアが開くと、音漏れが発生するので、防音室の意味がなくなるという問題があった。
【０００５】
そこで、ユーザが居室外に退出する前に、ユーザが不在になることを予測して、居室外に音を漏れにくくすることができる放音装置を提供することを目的とする。
【課題を解決するための手段】
【０００６】
この発明の放音装置は、音声信号を放音するスピーカと、ユーザの位置を検出するセンサと、を備える。放音装置は、センサが検出したユーザの位置に基づいて、ユーザが不在になるか否かを予測する。例えば、居室のドア位置を登録しておき、ドア位置付近にユーザが近づくとユーザが不在になると予測したり、ドア位置へ向かう退出経路上でユーザが検出されるとユーザが不在になると予測したりする。そして、放音装置は、ユーザが不在になると予測すると、放音設定を変更して放音することを特徴とする。
【０００７】
これにより、ユーザが居室から退出する前に、放音設定を変更して、スピーカからの音量を下げたり、音量をゼロにしたり、聞こえにくい音質で放音したりすることで、居室外への音漏れを低減することができる。このため、放音装置は、居室外に音漏れすると困る防音室等に設置するのに好適である。また、ユーザは、放音設定が変更になったことを退出前に確認することができるので、音漏れを気にせずに安心して居室のドアを開放することができる。
【０００８】
また、この発明の放音装置は、ユーザが不在になると予測すると、放音時の音量を下げたり、ゼロにしたりする構成としてもよい。
【０００９】
これにより、ユーザが居室から退出する時に、スピーカから音量を下げて放音されているので、居室外への音漏れを低減することができる。また、ユーザが居室から退出する時に、スピーカがミュート処理されているので、居室外に音漏れすることがない。
【００１０】
更に、この発明の放音装置は、ユーザが不在になることを予測すると、ダイナミクスレンジを圧縮したり、低域と高域を減衰するように周波数特性を変更したりして、ユーザの聴感上聞こえにくい音質に変更する構成としてもよい。
【００１１】
これにより、ユーザが居室から退出する時に、ユーザに聞こえにくい音質で音声が放音されているので、居室外のユーザは、音漏れした音声を聞き取りにくい。このため、居室外のユーザに不快感を与えることがないので、居室外へ音漏れを低減することができる。
【００１２】
加えて、この発明の放音装置は、ユーザが不在になることを予測する前に、センサでユーザの位置を検出できなかった場合についても、ユーザが不在になることを予測したとみなす構成としてもよい。
【００１３】
これにより、ユーザが不在になることを予測するのに失敗した場合や、予測に反して居室から退出してしまった場合についても、上述のように、音量を下げたり、ミュート処理したり、聞こえにくい音質で放音したりする。このため、ユーザの退出時に居室のドアが開放されたままの場合であっても、居室外への音漏れを低減することができる。
【００１４】
また、この発明の放音装置は、ユーザが不在になることを予測すると、現在の放音設定を記憶して、該放音設定を変更する。その後、放音装置は、ユーザの位置をセンサにて再検出すると、記憶手段に記憶している放音設定に基づいて放音する構成としてもよい。
【００１５】
これにより、退出したユーザが居室に戻ってきた場合についても、退出前にユーザが設定した放音設定に基づいて放音するので、ユーザは、放音設定を再設定する必要がなく、煩雑さを感じることがない。
【００１６】
更に、この発明の放音装置は、複数のユーザを検出した場合において、一部のユーザが不在になると予測すると、現在の放音設定を記憶して、該放音設定を変更する。その後、他のユーザをセンサで検出すると、ユーザが不在になると予測してから所定時間経過後に、記憶手段に記憶している放音設定に基づいて放音する構成としてもよい。
【００１７】
これにより、複数のユーザのうち、一部のユーザが退出する場合であっても、一部のユーザが退出する際には、音量を下げたり、ミュート処理したり、聞こえにくい音質で放音したりするので、退出時の音漏れを低減することができる。更に、ユーザの退出後に放音設定を戻すので、居室に残る他のユーザは、元の放音設定で引き続き聞くことができる。
【００１８】
また、この発明の放音装置は、ＨＤＭＩ（Ｈｉｇｈ‐Ｄｅｆｉｎｉｔｉｏｎ  Ｍｕｌｔｉｍｅｄｉａ  Ｉｎｔｅｒｆａｃｅ）やネットワークやＢｌｕｅｔｏｏｔｈ等を介して接続された電子機器を検出した場合において、ユーザが不在になることを予測すると、電子機器（テレビ、ＶＣＲ、ＳＴＢ、スクリーン、照明等）の動作を指示する制御信号を取得して、自装置に接続された電子機器へ送信する構成としてもよい。例えば、放音装置は、ユーザの退出を予測すると、音量を下げて放音するとともに、テレビの電源をＯＦＦする。
【００１９】
この発明の放音システムは、電子機器と放音装置とから構成される。電子機器は、ユーザの位置を検出するセンサを備え、放音装置は、音声信号を放音するスピーカを備える。
【００２０】
ユーザが不在になることを電子機器が予測する場合、電子機器と放音装置とは、ＨＤＭＩやネットワークやＢｌｕｅｔｏｏｔｈ等を介して接続されている。電子機器は、センサが検出したユーザの位置に基づいて、ユーザが不在になることを予測すると、放音装置の放音処理に関する動作を指示する放音制御信号を放音装置へ送信する。放音装置は、受信した放音制御信号に基づいて、音量を下げたり、ミュート処理したり、聞こえにくい音質で放音したりすることを特徴とする。
【００２１】
また、ユーザが不在になることを放音装置が予測する場合、電子機器と放音装置とは、赤外線等を介して接続されている。電子機器は、センサが検出したユーザの位置に関する位置情報を放音装置へ送信する。放音装置は、受信した位置情報に基づいて、ユーザが不在になることを予測すると、音量を下げたり、ミュート処理したり、聞こえにくい音質で放音したりすることを特徴とする。
【００２２】
これにより、放音装置にセンサがなくても、他の電子機器のセンサを利用することができる。
【発明の効果】
【００２３】
本発明によれば、放音装置は、ユーザが居室外に退出する前にユーザの退出を予測して、放音設定を変更して、スピーカからの音量を下げたり、音量をゼロにしたり、聞こえにくい音質で放音したりすることで、居室外への音漏れを低減することができる。
【発明を実施するための最良の形態】
【００２４】
「第１実施形態」
本発明の第１実施形態に係るスピーカ装置１Ａについて、図１〜３を参照して説明する。図１は、スピーカ装置の機能・構成を示すブロック図である。
【００２５】
図１に示すように、スピーカ装置１Ａは、操作部１１、人感センサ１２、制御部１３、入力Ｉ／Ｆ１４、信号処理部１５、デジタルアナログ変換部（Ｄ／Ａ変換部）１６、アンプ１７、及びスピーカＳＰから構成される。
【００２６】
操作部１１は、ユーザからの操作入力を受け付け、受け付けた内容に応じた操作信号を制御部１３へ出力する。操作部１１は、例えば、放音開始指示、放音停止指示、及びドアの位置の登録等の操作入力を受け付ける。
【００２７】
人感センサ１２は、ユーザ位置及びユーザ数を検出して、検出結果を制御部１３へ出力するセンサである。例えば、人感センサ１２は、ユーザから放射される熱線の量の変化を検出する赤外線センサが好適である。
【００２８】
制御部１３は、操作部１１からの操作信号、及び人感センサ１２からの検出結果に基づいて、信号処理部１５を制御する。
【００２９】
入力Ｉ／Ｆ１４は、所謂オーディオ入力端子であり、オーディオケーブルを介してＣＤプレイヤー等の楽曲再生装置（不図示）に接続される。入力Ｉ／Ｆ１４は、楽曲再生装置が再生した音声信号を信号処理部１５へ入力する。
【００３０】
信号処理部１５は、制御部１３からの指示に基づいて、入力Ｉ／Ｆ１４からの音声信号に対して、振幅処理等を行いＤ／Ａ変換部１６へ出力する。音声信号は、Ｄ／Ａ変換部１６にてデジタル形式からアナログ形式へ変換され、アンプ１７にて増幅され、スピーカＳＰに出力される。スピーカ装置１Ａは、スピーカＳＰから音声信号を放音する。
【００３１】
次に、スピーカ装置１Ａの放音時の処理フローについて、図２〜４を参照して説明する。図２は、スピーカ装置の放音時の処理を示す処理フローである。図３は、ドアの位置等の登録時におけるモニタ（不図示）表示の一例を示す図である。図３（Ａ）は、スピーカ装置が設置される居室の外観を示し、図３（Ｂ）は、居室に配置される各種部品の外観を示す。図４は、入退出場所選定後のモニタ表示の一例を示す図である。以下、放音時の音量の変化について説明する。
【００３２】
図２に示すように、スピーカ装置１Ａは、ユーザ６（図４参照）により、ドア４の位置等の入力を受け付けると（Ｓ１０１：Ｙｅｓ）、Ｓ１０２以降の処理を行う。具体的には、ユーザ６がスピーカ装置１Ａの操作部１１を用いて、居室３のサイズ（Ｙ方向：５ｍ，Ｘ方向：６ｍ）を登録すると、図３（Ａ），図３（Ｂ）に示す画面がモニタに表示される。図３（Ａ）に示すようにモニタの画面には、居室３のサイズに基づいて算出された居室３の外観が表示される。この居室３の外観には、１ｍ間隔の碁盤の目状が記載されている。また、図３（Ｂ）に示すようにモニタの画面には、居室３に配置する各種部品（スピーカ装置１Ａ、ドア４）の外観が表示される。そこで、ユーザ６は、各種部品をドラッグ＆ドロップして、居室３に配置する。以上の操作を行うことで、ドア４の位置等の入力を完了する。なお、モニタは、スピーカ装置１Ａに接続されているテレビ等でもよく、スピーカ装置１Ａが内蔵するものでもよい。
【００３３】
また、スピーカ装置１Ａは、ドア４の位置等を受け付けるまで（Ｓ１０１：Ｎｏ）、待機してＳ１０２以降の処理を行わない。
【００３４】
図４に示すように、スピーカ装置１Ａは、ドア４の位置に基づいて、入退出場所５を選定する（Ｓ１０２）。例えば、入退出場所５として、ドア４の位置から４ｍ２付近の場所が選定される。スピーカ装置１Ａは、楽曲再生装置にて再生した音声信号が入力される（Ｓ１０３）。スピーカ装置１Ａは、人感センサ１２でユーザ６の位置を検出すると（Ｓ１０４：Ｙｅｓ）、検出したユーザ６の位置と選定した入退出場所とが一致するか判断する（Ｓ１０５）。一致する場合は（Ｓ１０５：Ｙｅｓ）、スピーカ装置１Ａは、現状の放音設定を記憶して（Ｓ１０６）、音量を下げる（Ｓ１０７）。
【００３５】
以上のように、ユーザ６がドア４を開放する前に音量を下げるので、ユーザ６が居室３から退出する際に、ドア４を開放しても、居室３外に漏れる音を低減することができる。特に、外部に音漏れすると困る防音室等にスピーカ装置１Ａを設置するとよい。また、ユーザ６は、音量が下がったことを退出前に確認することができるので、音漏れを気にせずに安心して居室のドアを開放することができる。
【００３６】
また、Ｓ１０４において、人感センサ１２でユーザ６の位置を検出しなかった場合（すなわち、ユーザ６の検出に失敗した場合）は（Ｓ１０４：Ｎｏ）、ユーザ６の検出に失敗した回数をカウントする（Ｓ１０８）。所定回数（例えば３回）以上、ユーザ６の検出に続けて失敗すると（Ｓ１０９：Ｙｅｓ）、スピーカ装置１Ａは、ステップＳ１０６以降の処理を行う。なお、所定回数ユーザ６の検出に失敗するまでは（ユーザ６の検出失敗が所定回数未満の場合）（Ｓ１０９：Ｎｏ）、Ｓ１０４へ戻り、ユーザ６の位置の検出を試みる。
【００３７】
以上のように、ユーザ６が不在になることを予測せずに、ユーザ６を人感センサ１２で検出しなくなった場合（すなわち、ユーザ６が不在になることを予測するのに失敗した場合）にも音量を下げるので、居室３のドア４が開放されていても、音漏れを低減することができる。
【００３８】
また、ユーザ６が存在するのに、人感センサ１２がユーザ６を誤って検出しなかった場合であっても、スピーカ装置１Ａがすぐに音量を下げることがないので、ユーザ６は、現在の放音設定で音声を聞くことができる。このため、ユーザ６は、誤って音量が下がることによって生じる不快感を受けることがない。
【００３９】
更に、スピーカ装置１Ａは、音量を下げた後に（Ｓ１０７）、入退出場所５以外の場所で、人感センサ１２がユーザ６の位置を再検出すると（Ｓ１１０：Ｙｅｓ）、記憶している放音設定に戻して（Ｓ１１１）、Ｓ１０４へ戻る。また、人感センサ１２でユーザ６の位置を再検出するまで（Ｓ１１０：Ｎｏ）、待機してＳ１１１の処理を行わない。
【００４０】
以上より、居室３に戻ってきたユーザ６は、退出前の放音設定で音声を聞くことができるので、再度放音設定を行わなくてもよい。
【００４１】
なお、スピーカ装置１Ａは、次のようにして、ユーザ６が不在になることを予測してもよい。図５は、ユーザが不在になることを予測する他の方法を説明するための図である。図５に示すように、スピーカ装置１Ａは、ドア４の位置がユーザ６により入力された後、人感センサ１２で最初に検出したユーザ６の位置（数分間ユーザ６が移動せずに存在した位置）をユーザ６の視聴位置として登録する。そして、スピーカ装置１Ａは、ユーザ６の視聴位置からドア４までの経路７を予め選定しておく。スピーカ装置１Ａは、前回検出したユーザ６の位置を記憶しておき、今回検出したユーザ６の位置と前回検出したユーザ６の位置とに基づいて、ユーザ６がドア４に向かって経路７を通過したと判断すると、ユーザ６が不在になることを予測する。なお、スピーカ装置１Ａは、人感センサ１２でユーザ６の移動を検出すると、登録済みの視聴位置を更新し、ユーザ６の視聴位置からドア４までの経路７を新たに選定しなおしてもよい。また、経路７は、ユーザ６が手動でスピーカ装置１Ａに登録してもよい。
【００４２】
また、スピーカ装置１Ａは、ユーザ６が入力によりドア４の位置を登録したが、これに限らず、人感センサ１２でユーザ６を検出していない状態から、ユーザ６を最初に検出した位置をドア４の位置として登録してもよい。
【００４３】
更に、複数のユーザが居室３に存在する場合、スピーカ装置１Ａは次のように動作してもよい。スピーカ装置１Ａは、一部のユーザの退出を予測すると音量を下げて放音する。その後、スピーカ装置１Ａは、居室３内に他のユーザが存在することを検出すると、ユーザの退出を予測してから所定時間経過した後に、記憶している放音設定に基づいて放音する。このようにすることで、一部のユーザが退出してドアを開けている間だけ音量を下げることができるので、一部のユーザの退出による外部への音漏れを防ぐことができるとともに、残ったユーザに対して音量を戻して放音することができる。
【００４４】
「第２実施形態」
本発明の第２実施形態に係るスピーカ装置１Ｂについて、図６を参照して説明する。図６は、第２実施形態に係るスピーカ装置の機能・構成を示すブロック図である。第２実施形態に係るスピーカ装置１Ｂは、ユーザ６の位置と入退出場所５とが一致すると、音量を下げて、テレビ２Ｂを制御する点で第１実施形態に係るスピーカ装置１Ａと相違する。以下、相違点について説明する。
【００４５】
図６に示すように、スピーカ装置１Ｂは、スピーカ装置１Ａの入力Ｉ／Ｆ１４の代わりに入出力Ｉ／Ｆ１９を備え、更に、記憶部１０を備える。また、テレビ２Ｂとスピーカ装置１Ｂとは、ＨＤＭＩケーブルを介して接続されている。
【００４６】
入出力Ｉ／Ｆ１９は、テレビ２Ｂが再生した音声信号を信号処理部１５へ入力し、入出力Ｉ／Ｆ１９は、制御部１３から入力されたＣＥＣ（Ｃｏｎｓｕｍｅｒ  Ｅｌｅｃｔｒｏｎｉｃｓ  Ｃｏｎｔｒｏｌ）コマンドをテレビ２Ｂへ出力する。
【００４７】
記憶部１０は、ＨＤＭＩケーブルにより接続されたテレビ２Ｂへ出力するＣＥＣコマンドの一覧を記憶している。記憶部１０に記憶されているＣＥＣコマンド一覧は、制御部１３により参照される。ＣＥＣコマンドは、ＨＤＭＩの規格により定められた標準コマンドと、各メーカが設計可能な独自コマンドと、から構成される。例えば、標準コマンドとして、システムのスタンバイを指示するコマンドや、システムの起動を指示するコマンド等がある。
【００４８】
上述の機能・構成を備えることで、スピーカ装置１Ｂは、ユーザ６が不在になることを予測すると、システムのスタンバイを指示するＣＥＣコマンドを記憶部１０から取得して、テレビ２Ｂへ送信する。テレビ２Ｂは、受信したＣＥＣコマンドの指示に基づいて、システムをスタンバイする（電源をオフする）。これにより、スピーカ装置１Ｂは、ユーザ６が不在になることを予測すると、ＨＤＭＩケーブルを介して接続されているテレビ２Ｂのシステムをスタンバイさせることができる。
【００４９】
また、スピーカ装置１Ｂは、人感センサ１２がユーザ６を検出しなかった場合（ユーザ６の検出に失敗した場合）についても、システムのスタンバイを指示するＣＥＣコマンドを記憶部１０から取得して、テレビ２Ｂへ送信する。なお、ユーザ６を検出しなかった場合、すぐに上述の処理を行うのではなく、所定回数（例えば３回）、ユーザ６を検出しなかった場合に上述の処理を行うとよい。
【００５０】
更に、スピーカ装置１Ｂは、ユーザ６が不在になることを予測した後、またはユーザ６を検出しなくなった後に、入退出場所５以外の場所でユーザ６を再検出すると、テレビ２Ｂのシステムを起動するＣＥＣコマンドを記憶部１０から取得して、テレビ２Ｂへ送信する。テレビ２Ｂは、受信したＣＥＣコマンドの指示に基づいて、システムを起動する（電源をオンする）。
【００５１】
なお、第２実施形態では、接続されているテレビ２Ｂのシステムをスタンバイ（電源をオフ）したが、これに限らず、システムを起動（電源をオン）したり、一時停止したり、テレビ２Ｂの仕様に応じて適宜設定すればよい。これにより、テレビ２Ｂに対して様々な制御を行うことができる。
【００５２】
また、第２実施形態において、人感センサ１２を備えるスピーカ装置１Ｂは、接続されているテレビ２ＢからのＣＥＣコマンドに基づく動作を、自装置の人感センサ１２に基づく動作より優先してもよい。これにより、ユーザ６は、テレビ２Ｂを操作するだけで、テレビ２Ｂとスピーカ装置１Ｂとを一斉に操作することができる。例えば、ユーザ６は、テレビ２Ｂの電源をオフするだけで、テレビ２Ｂとスピーカ装置１Ｂの電源とを一斉にオフすることができる。なお、テレビ２ＢからのＣＥＣコマンドは、テレビ２Ｂが備えている人感センサによるものであってもよい。
【００５３】
「第３実施形態」
本発明の第３実施形態に係るスピーカ装置１Ｃについて、図７を参照して説明する。図７は、第３実施形態に係るスピーカ装置の機能・構成を示すブロック図である。第３実施形態に係るスピーカ装置１Ｃは、人感センサ２２を備えたテレビ２ＣからのＣＥＣコマンドに基づいて、音量を制御する点が、第１実施形態に係るスピーカ装置１Ａと相違する。以下、相違点について説明する。
【００５４】
図７に示すように、テレビ２Ｃは、映像信号や音声信号を出力する機能部（不図示）に加えて、記憶部２１、人感センサ２２、制御部２３、及び出力Ｉ／Ｆ２４を備え、スピーカ装置１Ｃは、操作部１１、制御部１３、入力Ｉ／Ｆ１４’、信号処理部１５、Ｄ／Ａ変換部１６、アンプ１７、及びスピーカＳＰを備える。また、テレビ２Ｃとスピーカ装置１Ｃとは、ＨＤＭＩケーブルを介して接続されている。
【００５５】
テレビ２Ｃの記憶部２１は、図４の記憶部１０と同じＣＥＣコマンドの一覧を記憶する。このＣＥＣコマンドは、スピーカ装置１Ｃへ出力される。また、テレビ２Ｃの人感センサ２２は、図１の人感センサ１２と同じ機能を備える。
【００５６】
テレビ２Ｃの制御部２３は、人感センサ２２の検出結果に基づいて、音量ダウンを指示するＣＥＣコマンドを記憶部２１から取得して、出力Ｉ／Ｆ２４へ出力する。そして、出力Ｉ／Ｆ２４は、制御部２３から入力されたＣＥＣコマンドをスピーカ装置１Ｃへ出力する。
【００５７】
スピーカ装置１Ｃの入力Ｉ／Ｆ１４’は、テレビ２Ｃから入力されたＣＥＣコマンドを制御部１３へ入力する。そして、制御部１３は、ＣＥＣコマンドに基づいて、信号処理部１５を制御する。
【００５８】
上述の機能・構成を備えることで、テレビ２Ｃは、ユーザ６が不在になることを予測すると、音量ダウンを指示するＣＥＣコマンドを記憶部２１から取得して、スピーカ装置１Ｃへ送信する。スピーカ装置１Ｃは、受信したＣＥＣコマンドの指示に基づいて、音量を下げて放音する。なお、テレビ２Ｃは、ＣＥＣコマンドをスピーカ装置１Ｃに出力する際に、自装置のシステムをダウン（電源をオフ）したり、一時停止したりしてもよい。これにより、スピーカ装置１Ｃは、自装置にセンサを備えなくても、テレビ２のセンサを利用して、音量を下げることができる。
【００５９】
また、テレビ２Ｃは、ユーザ６を人感センサ１２で検出しなかった場合（ユーザ６の検出に失敗した場合）についても、音量ダウンを指示するＣＥＣコマンドを記憶部２１から取得して、スピーカ装置１Ｃへ送信する。なお、ユーザ６を検出しなかった場合、すぐに上述の処理を行うのではなく、所定回数（例えば３回）、ユーザ６を検出しなかった場合に上述の処理を行うとよい。
【００６０】
更に、テレビ２Ｃは、ユーザ６が不在になることを予測した後、またはユーザ６を検出しなくなった後に、入退出場所５以外の場所でユーザ６を再検出すると、放音設定を元に戻すＣＥＣコマンドを記憶部２１から取得して、スピーカ装置１Ｃへ送信する。スピーカ装置１Ｃは、受信したＣＥＣコマンドに基づいて、元の音量に戻して放音する。
【００６１】
なお、第３実施形態において、人感センサ２２を備えるテレビ２Ｃは、接続されているスピーカ装置１ＣからのＣＥＣコマンドに基づく動作を、自装置の人感センサ２２に基づく動作より優先してもよい。これにより、ユーザ６は、スピーカ装置１Ｃを操作するだけで、スピーカ装置１Ｃとテレビ２Ｃとを一斉に操作することができる。例えば、ユーザ６は、スピーカ装置１Ｃの電源をオフするだけで、スピーカ装置１Ｃとテレビ２Ｃとの電源とを一斉にオフすることができる。なお、スピーカ装置１ＣからのＣＥＣコマンドは、スピーカ装置１Ｃが備えている人感センサによるものであってもよい。
【００６２】
また、図８は、第３実施形態の他のスピーカ装置の機能・構成を示すブロック図である。第３実施形態では、スピーカ装置１Ｃは、テレビ２ＣからのＣＥＣコマンドに基づいて、音量を制御した。しかし、これに限らず、図８に示すように、スピーカ装置１Ｃ’は、テレビ２Ｃ’と赤外線等で接続されており、テレビ２Ｃ’の人感センサ２２の検出結果を受信して、音量を制御する構成としてもよい。この場合、スピーカ装置１Ｃ’は、テレビ２Ｃ’から受信した検出結果に基づいて、ユーザが不在になることを予測して、信号処理部１５を制御する。
【００６３】
なお、第２，第３実施形態では、スピーカ装置１Ｂ，１Ｃは、それぞれテレビ２Ｂ，２ＣとＨＤＭＩケーブルを介して接続されている構成とした。しかし、これに限らず、ネットワークやＢｌｕｅｔｏｏｔｈ等により接続されていてもよい。また、スピーカ装置１Ｂ，１Ｃに接続されているものは、ＶＣＲ（Ｖｉｄｅｏ  Ｃａｓｓｅｔｔｅ  Ｒｅｃｏｒｄｅｒ）、ＳＴＢ（Ｓｅｔ  Ｔｏｐ  Ｂｏｘ）、スクリーン、照明等の他の電子機器であってもよい。
【００６４】
また、第１〜第３実施形態では、スピーカ装置１Ａ〜１Ｃは、ユーザ６が不在になることを予測すると、音量を下げて放音した。しかし、これに限らず、除々に音量を下げたり、段階的に音量を下げたりしてもよい。これにより、ユーザ６は、いきなり音量が下がることによる不快感を感じることがない。
【００６５】
また、スピーカ装置１Ａ〜１Ｃは、ユーザ６が不在になることを予測すると、ミュート処理（音量を０にする）してもよい。これにより、ユーザ６が居室３から退出する時に、スピーカがミュート処理されているので、居室３外に音漏れすることがない。
【００６６】
更に、ピーカアレイ装置１Ａ〜１Ｃは、ユーザ６が不在になることを予測すると、聴感上ユーザ６に聞こえにくい音質に音場を変更してもよい。スピーカ装置１Ａ〜１Ｃは、音声信号の音量の最大と最小の差（ダイナミクスレンジ）を圧縮したり、音声信号の低域と高域を減衰するように周波数特性を変更したりすることで、聴感上ユーザ６に聞こえにくい音質を生成する。具体的に例えば、騒音になりにくいナイトリスニングモードや、高域と低域を減衰するモードや、センタチャンネルのみ放音するモードに変更する。このナイトリスニングモードとは、セリフやボーカルの音量を基準にそれを超える音量のものは下げ、それを下回る音量のものは上げるというコンプレッション操作を行うとともに、ボリュームを下げた際に、全体に対してセンタチャンネルのレベルを残す操作を行うモードである。
【００６７】
更に、第１〜第３実施形態に係るスピーカ装置１Ａ〜１Ｃは、外部から入力された音声信号を放音しなくてもよく、自装置内に記憶する音声を放音する楽曲再生機能を備えてもよい。
【００６８】
加えて、第１〜第３実施形態に係るスピーカ装置１Ａ〜１Ｃは、複数のスピーカＳＰを備えるスピーカアレイ装置であってもよい。
【図面の簡単な説明】
【００６９】
【図１】スピーカ装置の機能・構成を示すブロック図である。
【図２】スピーカ装置の放音時の処理を示す処理フローである。
【図３】ドアの位置等の登録時におけるモニタ（不図示）表示の一例を示す図である。
【図４】入退出場所選定後のモニタ表示の一例を示す図である。
【図５】ユーザが不在になることを予測する他の方法を説明するための図である。
【図６】第２実施形態に係るスピーカ装置の機能・構成を示すブロック図である。
【図７】第３実施形態に係るスピーカ装置の機能・構成を示すブロック図である。
【図８】第３実施形態の他のスピーカ装置の機能・構成を示すブロック図である。
【符号の説明】
【００７０】
１Ａ〜１Ｃ…スピーカ装置，２Ｂ，２Ｃ…テレビ，３…居室，４…ドア，５…入退出場所，６…ユーザ，７…経路，１０…記憶部，１１…操作部，１２…人感センサ，１３…制御部，１４…入力Ｉ／Ｆ，１５…信号処理部，１６…Ｄ／Ａ変換部，１７…アンプ，１９…入出力Ｉ／Ｆ，２１…記憶部，２２…人感センサ，２３…制御部，２４…入力Ｉ／Ｆ，ＳＰ…スピーカ
【図１】
2010011268.tif 000003
【図２】
2010011268.tif 000004
【図３】
2010011268.tif 000005
【図４】
2010011268.tif 000006
【図５】
2010011268.tif 000007
【図６】
2010011268.tif 000008
【図７】
2010011268.tif 000009
【図８】
2010011268.tif 000010